(57)【特許請求の範囲】
【請求項１】
第１の無線機器コントローラ（ＲＥＣ）ノード（１２）と、第２の無線機器コントローラ（ＲＥＣ）ノード（１４）と、無線インタフェースを介して１つ以上の無線端末と情報を送受信する無線機器（ＲＥ）ノード（１６）とを含み、前記第１のＲＥＣノードおよび前記第２のＲＥＣノードが前記ＲＥノードから物理的に離れており、前記第１のＲＥＣノードおよび／または前記第２のＲＥＣノードが伝送リンクによって前記ＲＥノードに接続されている無線基地局の作動方法であって、
前記第１および第２のＲＥＣノードのうちの一方に同期基準情報を供給すること（Ｓ２）と、
タイミング差を生成するために、前記同期基準情報を、前記第１および第２のＲＥＣノードのうちの他方のタイミング情報と比較すること（Ｓ３）と、
前記タイミング差を使用して前記他方のノードのタイミングユニットを調整することにより、前記ＲＥノードと、前記第１のＲＥＣノードと、前記第２のＲＥＣノードとの間にタイミングの同期を達成すること（Ｓ４）と
を特徴とする方法。
【請求項２】
前記第１のＲＥＣノードが第１のタイプの無線通信技術に従って動作するように構成されており、前記第２のＲＥＣノードが第２の異なるタイプの無線通信技術に従って動作するように構成されている、請求項１に記載の方法。
【請求項３】
無線基地局における前記ノード間の１つ以上のインタフェースがＣＰＲＩインタフェースである、請求項１に記載の方法。
【請求項４】
前記比較が前記ＲＥノードまたは前記ＲＥＣノードのうちの１つで実行され、前記ＲＥノードがこのＲＥノードのタイミングを前記１つのノードから受信された前記同期基準情報に同期化する、請求項１に記載の方法。
【請求項５】
前記ＲＥＣノードがカスケード接続されており、一方のＲＥＣノードが前記タイミング差を他方のＲＥＣノードへ伝える、請求項１に記載の方法。
【請求項６】
前記ＲＥＣノードが並列接続されており、一方のＲＥＣノードが前記タイミング差を他方のＲＥＣノードへ伝えるか、または、前記ＲＥノードが前記タイミング差を前記他方のＲＥＣノードへ伝える、請求項１に記載の方法。
【請求項７】
多数のＲＥノードがカスケード接続されており、少なくとも１つのＲＥＣノードが各ＲＥノードに接続されている、請求項１に記載の方法。
【請求項８】
前記ＲＥノードがＧＰＳタイミング情報を受信し、前記同期基準情報が前記受信されたＧＰＳ情報に基づいている、請求項１に記載の方法。
【請求項９】
前記ＲＥＣノードが転送ネットワークから前記同期基準情報を受信する、請求項１に記載の方法。
【請求項１０】
前記同期基準情報が、タイミング情報、周波数情報、またはそれらの両方を含んでいる、請求項１に記載の方法。
【請求項１１】
第１の無線機器コントローラ（ＲＥＣ）ノード（１２）と、
第２の無線機器コントローラ（ＲＥＣ）ノード（１４）と、
無線インタフェースを介して１つ以上の無線端末と情報を送受信する無線機器（ＲＥ）ノード（１６）と
を備える無線基地局（１０）であって、
前記第１のＲＥＣノードおよび前記第２のＲＥＣノードが前記ＲＥノードから物理的に離れており、前記第１のＲＥＣノードおよび前記第２のＲＥＣノードのうちの一方または両方が伝送リンクによって前記ＲＥノードに接続されており、
前記第１および第２のＲＥＣノードの一方が、同期基準情報を受信または生成し、タイミング差を生成するために前記同期基準情報を前記ＲＥＣノードのうちの別のＲＥＣノードのタイミング情報と比較し、前記ＲＥノードと前記第１のＲＥＣノードと前記第２のＲＥＣノードとの間でタイミング同期を実現するために前記タイミング差を前記別のＲＥＣノードに供給するように構成されている、ことによって特徴付けられている、無線基地局。
【請求項１２】
前記第１のＲＥＣノードが第１のタイプの無線通信技術に従って動作するように構成されており、前記第２のＲＥＣノードが第２の異なるタイプの無線通信技術に従って動作するように構成されている、請求項１１に記載の無線基地局。
【請求項１３】
無線基地局における前記ノード間の１つ以上のインタフェースがＣＰＲＩインタフェースである、請求項１１に記載の無線基地局。
【請求項１４】
前記比較が前記ＲＥノードまたは前記ＲＥＣノードのうちの１つで実行され、前記ＲＥノードがこのＲＥノードのタイミングを前記１つのノードから受信された前記同期基準情報に同期化する、請求項１１に記載の無線基地局。
【請求項１５】
前記ＲＥＣノードがカスケード接続されており、一方のＲＥＣノードが前記タイミング差を他方のＲＥＣノードへ伝えるように構成されている、請求項１１に記載の無線基地局。
【請求項１６】
前記ＲＥＣノードが並列接続されており、一方のＲＥＣノードが前記タイミング差を他方のＲＥＣノードへ伝えるように構成されているか、または、前記ＲＥノードが前記タイミング差を前記他方のＲＥＣノードへ伝えるように構成されている、請求項１１に記載の無線基地局。
【請求項１７】
多数のＲＥノードがカスケード接続されており、少なくとも１つのＲＥＣノードが各ＲＥノードに接続されている、請求項１１に記載の無線基地局。
【請求項１８】
前記ＲＥノードがＧＰＳタイミング情報を受信し、前記同期基準情報が前記受信されたＧＰＳ情報に基づいている、請求項１１に記載の無線基地局。
【請求項１９】
コントローラ（２２、２８）と、
第１の無線機器（ＲＥ）ノード（１６）と通信するＲＥ通信リンクインタフェース（ＩＦ１、ＩＦ２）と、
前記ＲＥノードおよび第１のＲＥＣノードと一体となって無線基地局を形成する第２の無線機器コントローラ（ＲＥＣ）ノード（１４、１２）と通信するＲＥＣ通信リンクインタフェース（２６、３２）と、
タイミングユニット（２４、３０）と
を含む第１の無線機器コントローラ（ＲＥＣ）ノード（１２、１４）であって、
前記ＲＥノードと前記第１のＲＥＣノードと前記第２のＲＥＣノードとの間にタイミング同期化を実現するために、同期基準情報と前記第２のＲＥＣから受信されたタイミング情報との間で決定されたタイミング差情報を前記第２のＲＥＣノードに供給するように構成されていることを特徴とする、第１のＲＥＣノード。
【請求項２０】
前記第１のＲＥＣノードが第１のタイプの無線通信技術に従って動作するように構成されており、前記第２のＲＥＣノードが第２の異なるタイプの無線通信技術に従って動作するように構成されている、請求項１９に記載の第１のＲＥＣノード。
【請求項２１】
前記タイミングユニットに接続されたタイミング比較器（２５、３１）をさらに備え、
前記タイミング比較器は、前記タイミング差情報を生成して、前記ＲＥＣ通信リンクインタフェースを介して前記タイミング差情報を前記第２のＲＥＣに供給するために、前記同期基準情報を前記第２のＲＥＣから受信されたタイミング情報と比較する、請求項１９に記載の第１のＲＥＣノード。
【請求項２２】
前記ＲＥ通信リンクインタフェースを介して前記ＲＥノードから前記同期基準情報を受信して、前記ＲＥＣ通信リンクインタフェースを介して前記タイミング差情報を前記第２のＲＥＣに供給するように構成されている、請求項１９に記載の第１のＲＥＣノード。
【請求項２３】
外部タイミング源から前記同期基準情報を受信するように構成されている、請求項１９に記載の第１のＲＥＣノード。
【発明の詳細な説明】
【技術分野】
【０００１】
本技術分野は無線通信に関し、本願における技術は分散型無線基地局を同期させることに関する。
【背景技術】
【０００２】
分散型無線基地局（ＲＢＳ）は、典型的に、１つ以上のローカルまたはリモート無線機器（ＲＥ）に連結された１つの無線機器コントローラ（ＲＥＣ）を含む。しかし、多数のＲＥＣを分散型無線通信局の中に組み込むことが望ましい状況が存在する。たとえば、ＲＥが多数のワイヤレス通信規格を同時にサポートすることが技術的に実現可能である。１つのＲＥに接続された多数の低価格ＲＥＣを異なる無線ワイヤレス規格、たとえば、ＷＣＤＭＡ、および、ユニバーサル移動体通信システム（ＵＴＭＳ）のロング・ターム・エボリューション（ＬＴＥ）に基づいて無線通信の役目を果たすために利用することができる。１つのＲＥに接続された多数のＲＥＣは、無線基地局の能力および性能を高めるために役立つことができる。
【０００３】
同期は分散型無線基地局における重要な問題である。いくつかのワイヤレス通信規格、たとえば、ＬＴＥは、１マイクロ秒程度の時間同期精度を必要とする。実際には、この種の時間同期精度は、無線基地局サイトにＧＰＳ受信機または他の精密な時間基準を必要とすることがあり得る。したがって、基地局はワイヤレス通信システムの進化世代における低価格全地球測位（ＧＰＳ）配備をサポートすることが望ましい。ＧＰＳ受信機は良好な衛星受信のため設置されるべきである。このことは、多くの場合に、基地局タワーまたはマストへの設置を意味し、これは少なくともＲＥにきわめて近接していることを示唆する。ＧＰＳ受信機をＲＥの機械的解法の範囲内で搭載すること、たとえば、美的に魅力的な外観を与えるためにＧＰＳ受信機がＲＥに直接ボルト締めされることが望ましい。このような据え付けでは、ＧＰＳ受信機がＲＥＣに接続されている場合、これは、両方ともに望ましくない長い電路および避電を必要とする。
【０００４】
分散型無線基地局は、たとえば、ＲＥＣと１つ以上のローカルまたはリモートＲＥとの間のインタフェースを規定する公用無線インタフェース（ＣＰＲＩ）規格に基づくことができる。ＣＰＲＩ規格バージョン３．０は参照によって本明細書中に組み込まれている。２００５年５月１８日に出願された、発明の名称が「Ｄｅｔｅｒｍｉｎｉｎｇ  Ａ  Ｔｉｍｅ  Ｄｉｆｆｅｒｅｎｃｅ  Ｂｅｔｗｅｅｎ  Ｆｉｒｓｔ  Ａｎｄ  Ｓｅｃｏｎｄ  Ｃｌｏｃｋ  Ｄｏｍａｉｎｓ」である同一出願人による関連した米国特許出願公開第１１／１３１，３４７号も同様に参照によってここに組み込まれている。マルチＲＥＣ分散型無線基地局は現行のＣＰＲＩ規格ではサポートされていない。ＲＥＣが多数のボードまたはユニットを使用して構築される場合、専用であり、かつ、独自に開発された同期解決策が使用可能であるが、ＣＰＲＩの中で多重ＲＥＣ分散型無線基地局を標準化することが望ましい。
【０００５】
同じＲＥのために役立つ２台以上のＲＥＣは共通の周波数基準をもつべきである。そうでなければ、たとえば、共通の送信／受信周波数を実現するための協調がないこと、および、ＣＰＲＩインタフェースのような複数のＲＥＣと（複数の）ＲＥとの間のインタフェースに「ビットスリップ」といった多数の問題が生じ、次にエアーインタフェースに歪みを生じさせる。また、複数のＲＥＣは、共通の時間基準をもつべきであり、そうでなければ、ＲＥは、エアーインタフェース測定を参照するために多数の時間基準（各ＲＥＣに１個ずつ）を維持する必要がある。
【０００６】
従来的に、基地局は着信転送ネットワークのクロックを抽出することにより着信転送ネットワークに同期化される。基地局の中の多数のＲＥＣのうちの１つがＳＤＨまたはＰＤＨ転送ネットワークにアクセスできる場合、このＲＥＣは周波数基準を生成可能である。しかし、いくつかのＲＥＣは、安定したビットクロックを供給する転送ネットワークに直接アクセスできないことがあり、たとえば、複数のＲＥＣはイーサネットインタフェースだけにアクセスできる。イーサネット転送ネットワークだけに接続されているＲＥＣは高度に安定した発振器を有するか、または、ＧＰＳ受信機にアクセスできることが必要である。
【発明の概要】
【発明が解決しようとする課題】
【０００７】
１つのＲＥを共用する２台のＲＥＣを、２台のＲＥＣが確実に同期化されるように付加専用ケーブルで接続することができる。しかし、この方法は、致命的な障害の可能性の増加のため（付加ケーブルが破損する可能性がある）基地局の信頼性を低下させ、基地局のコストを増加させる。基地局の中に既に存在しているケーブルを利用する方がより有利である。
【課題を解決するための手段】
【０００８】
本願における技術は、上記問題を解決し、背景技術に記載された望ましい目的を達成する。分散型無線基地局は、第１の無線機器コントローラ（ＲＥＣ）ノードと、第２の無線機器コントローラ（ＲＥＣ）ノードと、無線インタフェースを介して１つ以上の無線端末と情報を送受信する無線機器（ＲＥ）ノードとを含む。第１のＲＥＣノードおよび第２のＲＥＣノードはＲＥノードから物理的に離れている。第１のＲＥＣノードおよび／または第２のＲＥＣノードは伝送リンクによってＲＥノードに接続されている。同期基準情報はＲＥノードおよびＲＥＣノードのうちの１つに供給される。一方のノードにおける同期基準情報はタイミング差を生成するため別のＲＥＣノードから受信されたタイミング情報と比較される。タイミング差は他のノードでのタイミングユニットを調整するため使用される。
【０００９】
例示的なアプリケーションでは、第１のＲＥＣノードは、第１のタイプの無線通信技術に従って動作するように構成され、第２のＲＥＣノードは第２の異なるタイプの無線通信技術に従って動作するように構成されている。代替的に、両方のＲＥＣノードを、同じタイプの無線通信技術に従って動作するように構成することができる。
【００１０】
好ましい例示的な実施形態では、無線基地局におけるノード間の１つ以上のインタフェースはＣＰＲＩインタフェースである。同期基準情報は、タイミング情報、周波数情報、または両方を含むことができる。
【００１１】
例示的な構成では、一方のノードはＲＥＣノードのうちの１つであり、比較はＲＥノードまたはＲＥＣノードのうちの１つにおいて実行され、ＲＥノードは、ＲＥノードのタイミングを一方のノードから受信された同期基準情報に同期化する。別の例示的な構成では、一方のノードはＲＥであり、比較はＲＥノードまたはＲＥＣノードのうちの１つにおいて実行される。代替的に、ＲＥＣノードはカスケード接続され、一方のＲＥＣノードはタイミング差をもう一方のＲＥＣノードへ伝える。別の例示的な構成では、ＲＥＣノードは並列接続され、一方のＲＥＣノードがタイミング差をもう一方のＲＥＣノードへ伝えるか、または、ＲＥノードがタイミング差を他のＲＥＣノードへ伝える。代替的に、多数のＲＥノードがカスケード接続され、少なくとも１つのＲＣノードが各ＲＥノードに接続されている。
【００１２】
ＲＥノードは、たとえば、ＧＰＳタイミング情報を受信することがあり、同期基準情報は受信されたＧＰＳ情報に基づいている。代替的に、ＲＥＣノードは、転送ネットワークから同期基準情報を受信することができる。
【００１３】
別の例示的な実施形態は、コントローラと、コントローラに連結され、無線インタフェースを介して１つ以上の無線端末と情報を送受信する無線送受信回路と、第１の無線機器コントローラ（ＲＥＣ）ノードおよび第２の無線機器コントローラ（ＲＥＣ）ノードと通信する１つ以上の通信リンクインタフェースとを含む無線機器（ＲＥ）ノードに関する。ＲＥノードと、第１のＲＥＣノードおよび第２のＲＥＣノードとは、一体となって無線基地局を形成する。ＲＥノードは、同期基準情報を受信するタイミングユニットと、第１のＲＥＣノードおよび第２のＲＥＣノードのうちの１つからの同期情報を同期基準情報と比較する比較器とを有する。ＲＥノードは、第１のＲＥＣノードと第２のＲＥＣノードとＲＥノードとの間で同期化を可能にするため一方のＲＥＣノードで用いられる同期調整情報を供給する。本実施形態の非限定的な例示的な実施では、タイミングユニットは、同期基準情報に対応する値がロードされるエアー・フレーム・カウンタを含む。ＲＥノードは、ＲＥＣノードのうちの１つから、または、外部タイミング源から同期基準情報を受信することができる。
【００１４】
別の実施例の実施形態は、コントローラと、第１の無線機器（ＲＥ）ノードと通信するＲＥ通信リンクインタフェースと、第２の無線機器コントローラ（ＲＥＣ）ノードと通信するＲＥＣ通信リンクインタフェースとを含む第１の無線機器コントローラ（ＲＥＣ）ノードに関する。ＲＥノードと、第１のＲＥＣノードおよび第２のＲＥＣノードとは、一体となって無線基地局を形成する。第１のＲＥＣは、ＲＥノードと、第１のＲＥＣノードと、第２のＲＥＣノードとの間のタイミング同期化を実現するために、同期基準情報と第２のＲＥＣから受信されたタイミング情報との間で決定されたタイミング差情報を第２のＲＥＣに供給する。本実施形態の非限定的な例示的な実施では、第１のＲＥＣの中のタイミングユニットと接続されているタイミング比較器は、タイミング差を生成し、ＲＥＣ通信リンクインタフェースを介してタイミング差情報を第２のＲＥＣに供給するために、同期基準情報を第２のＲＥＣから受信されたタイミング情報と比較する。第１のＲＥＣノードは、ＲＥノードからまたは外部タイミング源から同期基準情報を受信することができる。
【図面の簡単な説明】
【００１５】
【図１】種々の構成および同期オプションの可能性を有する多数のＲＥＣを備える分散型無線基地局の非限定的な例示的な機能ブロック図である。
【図２】分散型無線基地局において複数のＲＥＣおよび（複数の）ＲＥを同期化する非限定的な例示的な手順を示すフローチャートである。
【図３】種々の構成および同期オプションの可能性を有する多数のＲＥＣおよび多数のＲＥを備える分散型無線基地局の別の非限定的な例示的な機能ブロック図である。
【図４】ＣＰＲＩに基づく分散型無線基地局の非限定的な例示的な機能ブロック図である。
【図５】多数のＲＥＣを有するＣＰＲＩに基づく分散型無線基地局の非限定的な例示的な機能ブロック図である。
【図６】多数のＲＥＣを１つ以上のＲＥと同期化させるため使用されることができる種々の非限定的な例示的な分散型無線基地局構成を示す図である。
【図７】多数のＲＥＣを１つ以上のＲＥと同期化させるため使用されることができる種々の非限定的な例示的な分散型無線基地局構成を示す図である。
【図８】多数のＲＥＣを１つ以上のＲＥと同期化させるため使用されることができる種々の非限定的な例示的な分散型無線基地局構成を示す図である。
【図９】多数のＲＥＣを１つ以上のＲＥと同期化させるため使用されることができる種々の非限定的な例示的な分散型無線基地局構成を示す図である。
【図１０】多数のＲＥＣを１つ以上のＲＥと同期化させるため使用されることができる種々の非限定的な例示的な分散型無線基地局構成を示す図である。
【図１１】多数のＲＥＣを１つ以上のＲＥと同期化させるため使用されることができる種々の非限定的な例示的な分散型無線基地局構成を示す図である。
【図１２】多数のＲＥＣを１つ以上のＲＥと同期化させるため使用されることができる種々の非限定的な例示的な分散型無線基地局構成を示す図である。
【図１３】多数のＲＥＣを１つ以上のＲＥと同期化させるため使用されることができる種々の非限定的な例示的な分散型無線基地局構成を示す図である。
【図１４】ＲＥのＣＰＲＩに基づく同期化ブロックの非限定的な例示的な機能ブロック図である。
【図１５】ＲＥＣのＣＰＲＩに基づく同期化ブロックの非限定的な例示的な機能ブロック図である。
【図１６】ＣＰＲＩに基づくシステムにおいてＲＥＣおよびＲＥを同期化する非限定的な例示的な手順を示すフローチャートである。
【図１７】ＣＰＲＩに基づくシステムにおいて第１のＲＥＣおよび第２のＲＥＣを同期化する非限定的な例示的な手順を示すフローチャートである。
【図１８】ＲＥが位相比較を実行するＣＰＲＩに基づくシステムにおいて複数のＲＥＣおよびＲＥを同期化する非限定的な例示的な手順を示すフローチャートである。
【発明を実施するための形態】
【００１６】
以下の記載では、限定ではなく説明のため、特有のノード、機能的なエンティティ、手法、プロトコル、規格などのような特定の細部が記載された技術の理解をもたらすために示されている。たとえば、いくつかの例示的な実施形態は、ＣＰＲＩに基づくシステムを使用する。しかし、技術はＣＰＲＩに基づくシステムに限定されない。他の例では、周知の方法、装置、手法などの詳細な記載は、不必要な詳説で記載を分かり難くしないように省かれている。個々の機能ブロックは図面に示されている。当業者は、これらのブロックの機能が個々のハードウェア回路を使用して、適切にプログラムされたマイクロプロセッサまたは汎用コンピュータと共にソフトウェアプログラムおよびデータを使用して、特定用途向け集積回路（ＡＳＩＣ）、プログラマブル・ロジック・アレイを使用して、および／または、１つ以上のデジタル信号プロセッサ（ＤＳＰ）を使用して実施されてもよいことが分かるであろう。
【００１７】
図１は、種々の構成および同期オプションの可能性を有する多数のＲＥＣ１２および１４と少なくとも１つのＲＥ１６とを備える分散型無線基地局１０の非限定的な例示的な機能ブロック図である。ＲＥＣ１  １２は、ＲＥ１２とのインタフェースＩ／Ｆ１に役立つ通信ユニット２６を含む。基地局の構成に依存して、ＲＥＣ１  １２は、それ自体のインタフェースＩ／Ｆ２（構成に依存して選択可能であることを示すために破線として図示している）を介してＲＥＣ２  １４と直接的に通信することもできる。コントローラ２２はＲＥＣ１２の全体的な動作を制御し、タイミングユニット２４は、ＲＥＣ１のためのタイミングの生成を生成し、ＲＥＣ１が同期を達成し、基地局１０のためのタイミングと同期した状態を維持することを確実にする役割を担う。タイミングユニット２４の中の比較器２５は、（その使用が基地局構成に依存するため破線で図示している）、タイミング差を決定するために、他のＲＥＣタイミング情報を外部同期基準タイミング情報と比較するため使用されることができる。同期基準タイミング情報は、図示されているように、ブロック１８から、または、ブロック２０から破線を介して外部同期基準タイミング情報を受信するＲＥから、破線を介してＲＥＣ１に直接的に供給されることができる。タイミング差は、Ｉ／Ｆ３を用いて直接的に、または、Ｉ／Ｆ２を用いてＲＥを介して、少なくとも１つのＲＥＣ、ここでは、ＲＥＣ２に供給され、ＲＥＣ２において、タイミング差は、ＲＥＣに固有のタイミングユニットを制御（たとえば、調整）するため使用される。同様に、ＲＥＣ２  １４は、コントローラ２８、タイミングユニット３０、選択可能な比較器３１、および通信ユニット３２を含む。
【００１８】
ＲＥ１６は、少なくとも１つのＲＥＣ１  １２とのインタフェースＩ／Ｆ１に役立つ通信ユニット３４を含む。基地局の構成に依存して、ＲＥ１６は、それぞれのインタフェースＩ／Ｆ２（構成に依存して選択可能であることを示すために破線として示している）を介してＲＥＣ２  １４と直接的にさらに通信することができる。コントローラ３６はＲＥ１６の全体的な動作を制御し、タイミングユニット３８はＲＥのためのタイミングを生成し、ＲＥが基地局１０の中の複数のＲＥＣおよびいずれかの他の複数のＲＥのためのタイミングとの同期を達成し、同期を維持し続けることを確実にする役割を担う。タイミングユニット３８の中の比較器３９（使用が基地局構成に依存するため破線を用いて示している）は、タイミング差を決定するために、ＲＥＣタイミング情報を外部同期基準タイミング情報と比較するため使用されることができる。同期基準タイミング情報は、ブロック２０から破線を用いて示されているように直接的に、または、ブロック１８から破線を介して外部同期基準タイミング情報を受信する複数のＲＥＣのうちの１つからＲＥに供給されることができる。このタイミング差は、Ｉ／Ｆ１もしくはＩ／Ｆ２を介して直接的に、または、ＲＥＣ−ＲＥＣ間インタフェースＩ／Ｆ３が存在する場合には別のＲＥＣを介して、少なくとも１つのＲＥＣに供給され、この少なくとも１つのＲＥＣでＲＥＣのそれぞれのタイミングユニットを制御（たとえば、調整）するため使用される。
【００１９】
図２は、分散型無線基地局における複数のＲＥＣおよび（複数の）ＲＥを同期化する非限定的な例示的な手順を示すフローチャートである。分散型基地局は、少なくとも１つのＲＥに連結されている２台以上のＲＥＣが設けられている（ステップＳ１）。同期基準情報は、ＲＥＣノードまたはＲＥノードのうちの１つのノードに供給される（ステップＳ２）。同期基準は、タイミング差を生成するために、ＲＥＣノードまたはＲＥノードのうちの別のノードから受信されたタイミング情報と比較される（ステップＳ３）。タイミング差は、次に、ＲＥと複数のＲＥＣノードとの間でタイミング同期を達成するために、無線基地局の中の別のＲＥＣノードでタイミングユニットを調整するため使用される。
【００２０】
図３は、種々の構成および同期オプションの可能性を有する多数のＲＥＣおよび多数のＲＥを備える分散型無線基地局の別の非限定的な例示的な機能ブロック図である。無線基地局５０は、１つ以上のアンテナを用いてインタフェースを介して無線端末と通信する。基地局は（複数の）適当なインタフェースを介して他の（複数の）ネットワークノードとさらに通信する。例示的な実施形態は、１つのＲＥＣノードに連結された２台のＲＥＣノードを示しているが、３台以上のＲＥＣノードをＲＥノードに連結することができる。図３では、５２、５４および５６と呼ばれるＮ台のＲＥＣノードが第１のＲＥノード５８に連結されている。これらのＮ台のＲＥＣノードは、それぞれが対応する直接的なインタフェース６２、６４および６８を介して並列に第１のＲＥノード５８に連結されることができる。代替的に、Ｎ台のＲＥＣは、カスケード構成で接続され、ＲＥＣ−ＲＥＣ間インタフェース７０および７２を用いて第１のＲＥ５８と通信することができる。これらのＲＥＣ間インタフェースは、タイミング情報がＲＥＣカスケードチェインに沿って転送されることを可能にする。好ましくは、タイミング調整は、基地局における伝搬遅延、すなわち、同期信号をＲＥＣタイミングユニットから測定ポイントへ伝搬させるために要する期間のため補償される。基地局５０は、多数のＲＥノードをさらに含むことができる。２台のＲＥノード５８および６０は、ＲＥ−ＲＥ間インタフェース７０を介して通信する。第２のＲＥノードは、１つ以上のＲＥＣへの直接的な接続をさらに有することができる。本実施例では、ＲＥ６０とＲＥＣ５４との間の代表的な接続がインタフェース６６を用いて表されている。
【００２１】
図４は、ＣＰＲＩに基づく分散型基地局８０の非限定的な例示的な機能ブロック図である。図示された３台のＲＥ（ＲＥ１、ＲＥ２およびＲＥ３）はＲＥＣ８２に連結され、それぞれのＣＰＲＩインタフェースを介してＲＥＣ８２と通信する。各ＲＥはアナログ部８８およびデジタル部８６を含む。アナログ部は、無線送受信回路と、増幅器と、フィルタなどを含む。デジタル部８６は数個の機能ブロックを含む。ＣＰＲＩインタフェースブロック９２は、ＣＰＲＩインタフェースを介して適切なタイミングに適切なフォーマットで受信および送信を統合し、（ＲＥにおける周波数生成のため）ＣＰＲＩインタフェース・クロックを復元し、基地局のフレーム番号（ＢＦＮ）番号およびフレーム開始を検出する。同期生成ブロック９６は、ＣＰＲＩインタフェースブロック９２からの入力およびＣＰＲＩ伝搬遅延に関する情報に基づいて、ＲＥクロック（ＢＦＮおよびフレーム開始を含む）にコヒーレントであるクロック信号を生成する。デジタル無線ブロック９４は、チャネル・フィルタリングおよびクリッピングのような種々の信号処理機能を実行する。ＣＰＵ９０はＲＥ８８の動作を制御する。
【００２２】
ＲＥＣ８２は、トラフィック処理を実施するデジタル信号処理（ＤＳＰ）部１００と、数個の機能ブロックを含むプラットフォーム部１０とを含む。ＣＰＲＩインタフェースブロック１０６は、ＣＰＲＩフォーマットを使用してＣＰＲＩインタフェース情報を受信し送信する。同期生成ブロック１１０は、供給された時間および／または周波数基準に基づいて無線基地局において必要な時間および周波数クロックを生成する。転送（ＴＮ）インタフェースブロック１０８は、コアネットワークへの接続性を提供するために信号を受信し転送ネットワークへ送信する。ＴＮインタフェース１０８は、受信された転送ネットワーク・インタフェース・クロック、および、ＮＴＰのような他の転送に基づく同期基準をさらに抽出する。これらの同期基準は、同期生成ブロックへ転送され、基地局クロックへの基準として使用されることができる。
【００２３】
ＲＥＣ８２および複数のＲＥ８４は、ＣＰＲＩインタフェースを用いて接続されている。ＲＥＣの同期生成ブロック１１０はＣＰＲＩ時間および周波数を生成し、ＲＥは同期ブロック９６においてＣＰＲＩ時間および周波数を生成する。周波数は、ＲＦ搬送波生成のための安定した周波数を供給するため再生される。時間は着信するタイミング基準の間で時間測定を実行するために再生される。ＲＥＣは、ＣＰＲＩ時間および周波数同期の基礎を転送ネットワークまたはＧＰＳ信号からの時間および周波数基準においている。１つ以上のＧＰＳ受信機をＲＥＣに接続することができる。
【００２４】
ＣＰＲＩの特徴はＣＰＲＩが複数のＲＥのカスケード化を許可することである。この構成では、時間基準は一方のＲＥから次のＲＥへ転送される。本願に記載されている技術はカスケードチェインの中のいずれかのＲＥに適用可能である。
【００２５】
図５は、１つのＲＥ８４に連結された２台のＲＥＣ８２（３台以上のＲＥＣが使用可能である）を有するＣＰＲＩに基づくマルチＲＥＣ無線基地局１２０の非限定的な例示的な機能ブロック図である。本構成では、複数のＲＥＣのうちの１つは、外部同期基準にアクセス可能である。複数のＲＥＣのうちの１つは、たとえば、ＷＣＤＭＡ  ＲＥＣ１であり、もう一方はＬＴＥ  ＲＥＣ２でもよく、ＷＣＤＭＡ  ＲＥＣ１は、外部同期基準として転送ネットワークＳＴＭ−１ビットクロックにアクセス可能である。それぞれのＣＰＲＩインタフェースを介して、両方のＲＥＣは、時間情報および周波数情報をＲＥに供給する。ＲＥは、ＲＥＣ１が同期マスタであり、ＲＥがＲＥの同期ブロック９６の基準としてＲＥＣ１へのＣＰＲＩインタフェースを使用することを通知される。ＲＥは、他のＲＥＣ２／ＣＰＲＩインタフェース上のタイミング情報を測定するだけである。この非限定的な例示的な実施形態では、ＲＥの中の位相比較器は、基準間の差を決定するためにこれらの２個のＣＰＲＩインタフェースを介して受信されたタイミング情報を比較する。測定された時間差は、ＣＰＲＩインタフェースによって提供される制御および管理（Ｃ＆Ｍ）リンク上で、ＲＥによってスレーブＲＥＣ２へ送信される。ＲＥＣ２は、その後、外部同期基準を有するマスタＲＥＣ１の時間および周波数を採用可能であり、その結果として、ＲＥとＲＥＣ１とＲＥＣ２とがすべて同期化される。
【００２６】
位相比較はＲＥ８４で実行され、２台のＲＥＣが同じＲＥと通信するので、２台のＲＥＣは容易に同期化可能である。２台のＲＥＣの間で別個の同期インタフェースを使用する場合と比べると、この同期アプローチは、背景技術の欄に記載されているような付加ケーブル敷設の致命的な故障の可能性を減少させる。この例示的な実施形態の別の利点は、複数のＲＥＣとＲＥの両方がシングルＲＥＣ  ＲＢＳとマルチＲＥＣ  ＲＢＳとにおいて同じ役割を担うことである。ＲＥＣは、ＣＰＲＩ同期情報を一貫して生成し、ＲＥはＣＰＲＩ同期情報を一貫して再生する。
【００２７】
図６〜１３は、多数のＲＥＣを１つ以上のＲＥと同期化するため使用されることができる種々の非限定的な例示的な分散型無線基地局構成を示している。これらの構成は、限定されることなくＣＰＲＩ実施を含む多数のＲＥＣを使用するいずれかの分散型基地局のため使用されることができる。使用される構成は、冗長性のためのインタフェースおよびサポートの可用性に依存する。図６は図５におけるＣＰＲＩに固有の状況で既に記載されている構成を一般的な形式で表している。
【００２８】
図７では、１つだけのＲＥＣ１がＲＥとインタフェースをとり、ＲＥＣ１およびＲＥＣ２はカスケード接続され、同期基準はマスタＲＥＣ１によって供給される。位相／タイミング差決定（決定の場所はアステリスクによって示している）は、ＲＥとインタフェースをとるＲＥＣ１によって実行されることができる。ＲＥＣ２は、ＲＥＣ２のタイミング情報をＲＥＣ１に供給し、ＲＥＣ１は、ＲＥＣ２から受信されたタイミング情報を同期基準と非アックし、差をＲＥＣ２へ返信する。ＲＥＣ２のタイミングブロックは、その後に、ＲＥ、ＲＥＣ１、およびＲＥＣ２が同期化されるように差に基づいてＲＥＣ２のタイミングを調整する。ＲＥＣ２の中のアステリスクは、代替的な構成では、ＲＥＣ２は、ＲＥＣ１からのタイミング基準に基づいてＲＥＣ２のタイミングを決定し、ＲＥＣ１のタイミングと同期化させるためＲＥＣ２のタイミングを調整することができることを意味する。両方の変形では、ＲＥＣ１は、タイミング基準情報をＲＥに供給する。ＲＥＣ１とＲＥＣ２との間のＣＰＲＩＩ伝搬遅延は、ＲＥＣ１およびＲＥＣ２のいずれか一方（または両方）によって測定可能である。一つの非限定的な例示的な方法は、一方のＲＥＣがマスタポートとしての役目を果たし、もう一方のＲＥＣがスレイブポートとしての役目を果たすＣＰＲＩ仕様に記載されている方法である。
【００２９】
図８は、ＲＥＣ１およびＲＥＣ２が共にＲＥとインタフェースをとり、かつ、互いにインタフェースをとる構成を示す。同期基準はマスタＲＥＣ１によって供給される。位相／タイミング差決定は、図６に示されているように（アステリスクによって示している）ＲＥによって実行されることができる。各ＲＥＣとＲＥとの間のインタフェースに加えて、この構成はＲＥＣ間のインタフェースを含む。ＲＥＣ−ＲＥＣ間インタフェースは、複数のＲＥＣのうちの１つとＲＥとの間のインタフェースが故障した場合に使用可能である。たとえば、ＲＥＣ２からＲＥへのインタフェースが故障した場合、この構成は図７の構成と同じになる。代替的に、位相／タイミング差決定（アステリスクによって示している）は、図７に関して前述された形式と類似し、タイミング同期情報がＲＥＣ２からＲＥへ直接送信される点で相違する形式でＲＥＣ２によって実行されることができる。
【００３０】
図９〜１１は、同期タイミング基準がＲＥＣ１ではなくＲＥに供給され、ＲＥが位相／タイミング比較を実行する構成を示している。すなわち、ＲＥは、ＲＥＣ１およびＲＥＣ２の両方のためのタイミング比較を行い、ＲＥＣ１およびＲＥＣ２のそれぞれがタイミングを同期化できるように、それぞれのタイミング差をＲＥＣ１およびＲＥＣ２の両方へ送信する。ＧＰＳ受信機が基地局の中で使用される場合、ＧＰＳ受信機は、多くの場合に地面に位置しているＲＥＣよりも多くの場合にマストまたはタワーに位置しているＲＥの中またはＲＥの付近でＧＰＳ衛星信号を受信するためにより適しているので、ＧＰＳ基準をＲＥに供給することが有利である。このことは、ＧＰＳがＲＥの「サンシールド」の下に位置し、ＲＥの中で終端される場合、信号ケーブルの避雷を殆ど必要としないか、または、全く必要としない実施を可能にさせる。さらに、ＧＰＳ受信機は、ＧＰＳアンテナまたは付加信号ケーブルが目に見えないので、美的に魅力的な据え付けを提供する。
【００３１】
ＧＰＳ受信機は、２種類の信号、すなわち、時刻クリアテキスト情報と、クリアテキスト情報が適用される時刻パルスとをＲＢＳに供給する。パルスは、１秒に１回ずつ送信されるので、パルス毎秒（ＰＰＳ）と呼ばれる。ＲＥＣ同期ブロックは、「位相ロック」および「周波数ロック」を行うためにＲＢＳの時間基準に関連した時刻がわかることを要求する。ＧＰＳ受信機がＲＥに接続されている場合、ＲＥはＧＰＳ時間基準をサンプリングし、構成に応じて、クリア・テキスト・メッセージおよびサンプリングされた同期時間（たとえば、フレーム個数およびフレームの端数）を１個以上の制御および管理リンク上で１つ以上のＲＥＣへ送信する。
【００３２】
図９では、ＲＥＣ１だけがＲＥに連結されている。ＲＥＣ１がＲＥＣ１からＲＥへタイミング情報を送信するだけである。ＲＥはこのタイミング情報を基準と比較し、タイミング調整メッセージをＲＥＣ１へ送信する。ＲＥＣ１はタイミング調整メッセージを適用し、よって、外部基準源に同期する。この例示的な構成では、ＲＥＣ２はその後にＲＥＣ１から受信された同期信号と比較されたＲＥＣ２の内部クロックのタイミング差を決定するので、ＲＥＣ２もまたアステリスク付きで示されている。ＲＥＣ１およびＲＥＣ２の中のタイミングブロックは、ＲＥ、ＲＥＣ１およびＲＥＣ２が同期化されるように、それぞれの差に基づいてそれぞれのタイミングを調整する。
【００３３】
図１０および１１における構成は、ＲＥが同期タイミング基準を受信する点を除いて、図８の構成に類似している。ＲＥは、ＲＥＣ１およびＲＥＣ２からタイミング情報を受信し、それぞれのタイミング調整量をそれぞれのインタフェースを介して両方のＲＥＣのそれぞれに供給するか、または、図１０では、両方のＲＥＣのうちの一方だけに供給し、この一方がその後に他のＲＥＣのタイミング調整量をＲＥＣ１−ＲＥＣ２間インタフェースを介して転送する。後者の選択肢は図１１では利用できない。
【００３４】
図１２は、タイミング基準がＲＥＣ１ではなくＲＥＣ２に供給される点を除いて図７に類似している。その結果として、ＲＥＣ１は、ＲＥＣ１のタイミング情報をＲＥＣ２へ送信し、ＲＥＣ２が位相比較を実行し、タイミング調整量をＲＥＣ１へ返送する。ＲＥＣ１はＲＥＣ２と同期するようにＲＥＣ１のタイミングを調整し、タイミング情報をＲＥへさらに転送する。
【００３５】
さらに別のマルチＲＥＣ構成は図１３に示されている。ＲＥＣ１はＲＥ１に連結され、ＲＥＣ２はＲＥ２に連結されている。ＲＥ１およびＲＥ２は適当なインタフェースを介して連結されている。タイミング基準情報はＲＥＣ１に供給される。この構成では、ＲＥ１は、ＲＥ１が接続されているＲＥＣ１から受信されたタイミング情報を他のＲＥへ転送する。他のＲＥ２は、ＲＥ２が接続されているＲＥＣ２から受信されたタイミング情報と比較されたＲＥ−ＲＥ間インタフェースからのタイミング基準から時間差を測定し、タイミング差に基づく調整情報をＲＥＣ２へ送信する。典型的に、同期マスタとしての役目を果たすＲＥＣに接続されているＲＥは、ＰＬＬをインタフェースにロックする他のＲＥＣへ時間情報を転送し、同期マスタとしての役目を果たさないＲＥＣへ時間差を報告する。しかし、一般に、位相比較は、ＲＥ１またはＲＥ２においてそれぞれのＲＥＣから受信され、他のＲＥによってマスタＲＥへ転送されているタイミング情報に関して実行されることができる。
【００３６】
ＣＰＲＩに基づく無線基地局は、ＲＥの中の位相検出器を使用して時間同期化する。ＲＥは、再生されたＣＰＲＩクロックと着信する基準との間で相対的な周波数測定および時間測定を行い、これらの測定量を同期生成への入力として１つまたは多数のＲＥＣへ送信する。ＲＥに基づく同期において、時間ベースは、好ましくは、すべてのＲＥに対して同じであるので、ＲＥＣから生成される。
【００３７】
図１４は、ＲＥのＣＰＲＩに基づく同期ブロック９６の非限定的な例示的な機能ブロック図である。同期ブロック９６の中心部は、ＲＥのタイミングの発信源であるエアー・フレーム・カウンタ（ＡＦＣ）２０８である。エアー・フレーム・カウンタ２０８は、同期マスタとしての役目を果たすＲＥＣによって供給された復元ＣＰＲＩビットクロックにロックされた位相ロックループ（ＰＬＬ）２１０によってクロックされる。このようにして、ＡＦＣ２０８は、マスタＲＥＣのエアー・フレーム・カウンタに位相ロックされる。エアー・フレーム・カウンタ２０８の位相は、受信されたＣＰＲＩで検出されたフレームによって制御され、ＣＰＲＩ伝搬遅延、すなわち、ＲＥＣタイミングユニット３０からＲＥタイミングユニット３８への伝搬時間を用いて調整される。伝搬遅延はＲＥＣによって測定され、制御および管理リンクを介してＲＥへ送信され、その後、ＣＰＲＩ遅延補償ブロック２００を介してＣＰＵ９０によって同期ブロック９６に適用される。
【００３８】
エアー・フレーム・カウンタ２０８の値はある程度の個数の信号のうちのいずれか１個の受信時に記憶可能である。これらの信号は、それぞれの検出器２０２および２０４によって検出されたＲＥＣ１およびＲＥＣ２からの着信ＣＰＲＩインタフェース・フレーム・ストローブ、または、ＧＰＳ  ＰＰＳもしくは他のタイミング基準検出器２０６のような外部時間基準を含む。ＣＰＵ９０がサンプリングされたＡＦＣ値を読み出し、エアー・フレーム・カウンタ２０８を制御するために、たとえば、エアー・フレーム・カウンタを基準／マスタＲＥＣのＣＰＲＩインタフェースからの着信タイミング基準信号にロックするために、および／または、時間基準（たとえば、ＧＰＳ信号）と同期を必要とする１つ以上のＲＥＣからのタイミング情報との間の位相もしくはタイミング差を測定するために、このＡＦＣ値を使用する。後者の状況では、タイミング差は、その同期ブロックを調整するために１つ以上のＲＥＣに提供される。
【００３９】
図１５は、ＲＥＣのＣＰＲＩにもとづく同期ブロック１１０の非限定的な例示的な機能ブロック図である。同期ブロック１１０の中心部は、ＲＥＣのタイミングの発信源であるエアー・フレーム・カウンタ（ＡＦＣ）２５４である。エアー・フレーム・カウンタ２５４は、たとえば、温度制御型電圧制御水晶発振機器（ＯＶＣＸＯ）２５６によってクロックされることができる（しかし、他のクロックが使用されてもよい）。ＣＰＵ１０４における同期アルゴリズムは、ＲＥＣの時間ベースを生成するためにＲＥＣおよびエアー・フレーム・カウンタ２５４のための周波数ベースを生成するためにＯＶＣＸＯ２５６を制御する。エアー・フレーム・カウンタ２５４およびＯＶＣＸＯ２５６は、ＲＥＣのための発信ＣＰＲＩインタフェースのタイミングおよび周波数情報を生成するため使用される。たとえば、エアー・フレーム・カウンタ２５４の値は、ＣＰＲＩフレーム検出器２５０、または、ＧＰＳ  ＰＰＳもしくは他の基準検出器２５０のような外部時間基準によって検出されるような、このＲＥＣに供給された基準タイミングに対応する着信ＣＰＲＩインタフェース・フレーム・ストローブの受信時に記憶されることができる。ＣＰＵ１０４は、サンプリングされた値を読み出し、エアー・フレーム・カウンタ２５４およびＯＶＣＸＯ２５６を制御するため使用する。ＣＰＵ１０４は、ＲＥまたは別のＲＥＣから制御および管理リンクを介して対応するサンプル値をさらに受信し、これらのサンプル値を制御アルゴリズムの中で適用することができる。
【００４０】
図１４および１５に示された非限定的なＣＰＲＩに基づく実施形態による種々のＲＥユニットおよびＲＥＣユニットの挙動を記述する非限定的な例示的なシーケンスは図１６、１７および１８に示されている。図１６は、ＣＰＲＩに基づくシステムにおいてＲＥＣおよびＲＥを同期化する非限定的な例示的な手順を示すフローチャートである。このフローチャートは、ＲＥがＲＥへの直接的な接続をもつＲＥＣ、たとえば、図７におけるＲＥＣ１と同期化していることを指定するために「ＲＥによるＲＥＣ同期」と呼ばれている。ＲＥＣタイミングユニット（時間情報および周波数情報を共に生成する）は、ステップＳ１０で起動される。ＲＥと１つ以上のＲＥＣとの間のＣＰＲＩインタフェース通信は、ステップＳ１２で起動される。ステップＳ１４で、ＲＥは、マスタとしての役目を果たすＲＥＣによって無線基地局の中の種々のノードへの同期情報の配信、すなわち、（複数の）ＲＥＣのうちのどれがタイミング調整を必要とするか、および、ノードのうちのどれが同期基準情報を受信するかに関して通知される。本実施例では、ＲＥは、ステップＳ１６において、同期情報をエアー・フレーム・カウンタ（ＡＦＣ）サンプル値の形式でタイミング調整を必要とするＲＥＣに供給する。ＲＥＣは、ステップＳ１８において、受信されたＡＦＣサンプル値に基づいて粗いタイミング調整および周波数調整を行う。これはノードの粗い同期を与え、ＲＥＣは、ステップＳ２０において、無線ネットワークのセルの設定のようなＲＥＣのサービスを可能にするため起動可能である。ＲＥＣは、ステップＳ２２において、ＲＥからＡＦＣサンプル値を受信し続け、ステップＳ２４においてＲＥＣの電圧制御発振器２５６の周波数を調整するためにＡＦＣサンプル値を使用する。
【００４１】
図１７は、ＣＰＲＩに基づくシステムにおいて第１のＲＥＣおよび第２のＲＥＣを同期化する非限定的な例示的な手順を示すフローチャートである。このフローチャートは「ＲＥＣ２によるＲＥＣ１同期」と呼ばれ、タイミング比較が、図９の場合と同様に、ＲＥではなくＲＥＣ２において実行される状況に関係する。ステップＳ３０およびＳ３２は、図１６に記載されているステップＳ１０およびＳ１２と類似している。ステップＳ３４では、ＲＥＣ１は、ＲＥＣ２から、タイミング調整情報に対応するＡＦＣサンプルの第１の組を受信する。ＲＥＣ１は、その後、図１６に記載されたステップＳ１８−Ｓ２４と同様に、粗い時間調整および周波数調整を行い（ステップＳ３６）、ＲＥＣ１におけるサービスを可能にさせ（ステップＳ３８）、ＲＥＣ２からサンプルを受信し（ステップＳ４０）、ＲＥＣ１のＶＣＸＯを調整する（ステップＳ４２）。
【００４２】
図１８は、ＲＥが位相／タイミング比較を実行し、タイミング差をタイミング調整のため一方または両方のＲＥＣへ配信するＣＰＲＩに基づくシステムにおいて複数のＲＥＣおよびＲＥを同期化する非限定的な例示的な手順を示すフローチャートである。このフローチャートは、図１４においてＲＥが実行することができる可能なステップを記載している。複数のＲＥＣの１つずつとのＣＰＲＩインタフェースはステップＳ５０で起動され、基地局における同期タイミング配信に関する情報は、ステップＳ５２においてＲＥによって受信される。選択されたＲＥは、このＲＥのエアー・フレーム・カウンタと、マスタＲＥＣのＣＰＲＩインタフェースへの位相ロックループとをロックする。ＲＥは、ステップＳ５６において、マスタＲＥＣからの同期タイミング基準と同期化されるべき選択されたＲＥＣのタイミング情報との間のタイミング差を測定する。ＲＥは、その後、ステップＳ５８において、選択されたＲＥＣへ向けてタイミング差を送信する。タイミング差は、ＲＥによって直接的に、または、ＲＥに連結された他のＲＥＣとのカスケード型インタフェース接続を介して供給されることができる。
【００４３】
記載されている技術は多数の利点を提供する。第一に、この技術は、同じＲＥを使用しているとき、多数のＲＥＣを互いに同期化させるために、低価格かつ高可用性の解決策を提供する。第二に、この技術は、最小限のケーブル敷設および避電を必要とするＧＰＳ受信機の低価格配備を提供する。第三に、複数のＲＥＣおよび複数のＲＥのカスケード化がサポートされている。第四に、カスケード化されるＲＥおよびＲＥＣの個数がスケーラブルである。第五に、ＲＥＣは、オンサイトでいずれかの他の同様に能力のあるＲＥＣから同期化させることが可能であり、すなわち、この技術は他の業者サイトへ容易に移転可能である。
【００４４】
種々の実施形態が図示され詳述されているが、請求項はいずれの特有の実施形態または実施例にも限定されない。前述の記載は、特有の要素、ステップ、範囲、または機能が請求項の範囲に含まれなければならない程に本質的であることを示唆するものとして読み取られるべきでない。特許対象の範囲は請求項だけによって定められる。法的保護の範囲は、許可された請求項に記載された文言とその均等物とによって定められる。前述の好ましい実施形態の要素に関して当業者に公知であるあらゆる構造的均等物および機能的均等物は、参照によってここに明示的に組み込まれ、現請求項によって包含されることが意図されている。その上、装置または方法は、現請求項によって包含されるために、本発明によって解決されることが求められている一つ一つの問題を取り扱う必要がない。請求項は、「〜する手段」または「〜するステップ」という文言が使用されない限り、合衆国法典第３５巻第１１２条第６項を発動することが意図されていない。さらに、本明細書中の実施形態、特徴、コンポーネント、またはステップは、実施形態、特徴、コンポーネント、またはステップが請求項に記載されているかどうかにかかわらず、公開されることが意図されていない。
【図１】
0005656824.tif 000002
【図２】
0005656824.tif 000003
【図３】
0005656824.tif 000004
【図４】
0005656824.tif 000005
【図５】
0005656824.tif 000006
【図６】
0005656824.tif 000007
【図７】
0005656824.tif 000008
【図８】
0005656824.tif 000009
【図９】
0005656824.tif 000010
【図１０】
0005656824.tif 000011
【図１１】
0005656824.tif 000012
【図１２】
0005656824.tif 000013
【図１３】
0005656824.tif 000014
【図１４】
0005656824.tif 000015
【図１５】
0005656824.tif 000016
【図１６】
0005656824.tif 000017
【図１７】
0005656824.tif 000018
【図１８】
0005656824.tif 000019